(57)【要約】【課題】排水管路に着脱し易いポータブルトイレ用排水容器を提供する。【解決手段】排水容器４０は、ポータブルトイレ１０に接続された真空タンク２４に、排水管路３２を介して接続され、ポータブルトイレ１０から排出された排水が貯留される容器である。排水容器４０は、容器本体４１と、容器本体４１の上端に取り付けられる蓋体４２と、を備えている。蓋体４２には、上方に突出し、排水管路３２に設けられたコネクタ９０に接続される接続部５０が設けれている。接続部５０の上部には、一方から他方に向かって下方に傾斜した傾斜面５１が形成されている。傾斜面５１には、排水管路３２から排出される排水が流れる排水孔５２が形成されている。【選択図】図８
2019027104.tif 000002
【特許請求の範囲】
【請求項１】
ポータブルトイレに接続された真空タンクに、排水管路を介して接続され、前記ポータブルトイレから排出された排水が貯留されるポータブルトイレ用排水容器であって、
内部に空間を有する容器本体と、
前記容器本体の上端に取り付けられる蓋体と、
を備え、
前記蓋体には、上方に突出し、前記排水管路に設けられたコネクタに接続される接続部が設けれ、
前記接続部の上部には、一方から他方に向かって下方に傾斜した傾斜面が形成され、
前記傾斜面には、前記排水管路から排出される排水が流れる排水孔が形成された、ポータブルトイレ用排水容器。
【請求項２】
前記接続部には、前記排水孔の周縁から下方に向かって延び、上端から下端に向かうにしたがって前記排水孔の中心に向かって傾斜したテーパー面が設けられている、請求項１に記載されたポータブルトイレ用排水容器。
【請求項３】
前記排水孔よりも前記蓋体の縁側における前記蓋体の部位には、前記容器本体内の臭気が排出される空気孔が形成されている、請求項２に記載されたポータブルトイレ用排水容器。
【請求項４】
前記蓋体を前記容器本体に取り付けたときにおいて、前記排水孔の下方に位置する前記容器本体の底面の部位には、前記蓋体に向かって突出した凸部が設けられている、請求項１から３までの何れか１つに記載されたポータブルトイレ用排水容器。
【請求項５】
水平面に対する前記傾斜面の角度は、５度〜３０度である、請求項１から４までの何れか１つに記載されたポータブルトイレ用排水容器。
【請求項６】
請求項１から５までの何れか１つに記載されたポータブルトイレ用排水容器と、
前記排水管路に設けられ、前記ポータブルトイレ用排水容器の前記接続部と接続されるコネクタと、
を備え、
前記傾斜面は、前記接続部の前端から後端に向けて下方に傾斜した面であり、
前記コネクタには、前記接続部に前記コネクタが接続されたときに、前記傾斜面の上方に位置し、前記コネクタの前端から後端に向けて下方に傾斜したコネクタ傾斜面が形成されている、ポータブルトイレ用排水容器セット。
【請求項７】
前記排水孔は、前後方向に長い長孔である、請求項６に記載されたポータブルトイレ用排水容器セット。
【請求項８】
前記コネクタの前記コネクタ傾斜面と、前記接続部の前記傾斜面との間に設けられたパッキンを備えた、請求項６または７に記載されたポータブルトイレ用排水容器セット。
【請求項９】
前記パッキンは、前記コネクタに支持されている、請求項８に記載されたポータブルトイレ用排水容器セット。
【請求項１０】
前記ポータブルトイレと、
前記ポータブルトイレに接続された真空タンクと、
前記真空タンクに接続された真空ポンプと、
前記真空タンクに一端が接続された排水管路と、
請求項６から９までの何れか１つに記載されたポータブルトイレ用排水容器セットと、
前記真空タンク、前記真空ポンプ、前記排水管路および前記ポータブルトイレ用排水容器が収容されるキャビネットと、
を備えた、ポータブルトイレシステム。
【請求項１１】
前記キャビネットは、
前記ポータブルトイレ用排水容器が載置される載置板と、
前記載置板における前記ポータブルトイレ用排水容器が載置される部位よりも前方の部位に設けられ、上方に突出した係止突起と、
を備えた、請求項１０に記載されたポータブルトイレシステム。
【請求項１２】
前記キャビネットは、前記ポータブルトイレ用排水容器が前記載置板に配置されたときにおいて、前記ポータブルトイレ用排水容器の左右両側における前記載置板の部位から上方に延びたガイド板を備えた、請求項１１に記載されたポータブルトイレシステム。
【発明の詳細な説明】
【技術分野】
【０００１】
本発明は、ポータブルトイレ用排水容器、ポータブルトイレ用排水容器セットおよびポータブルトイレシステムに関する。
【背景技術】
【０００２】
例えば、特許文献１には、負圧吸引式トイレが開示されている。この負圧吸引式トイレでは、底部に排水口を有する有底の便器本体に、排水管路の一端が接続されている。排水管路の他端には、真空タンクの一例である負圧タンクが接続されている。負圧タンクは、所要の耐圧性を有する容器であり、負圧タンクには真空ポンプが取り付けられている。特許文献１に開示された負圧吸引式トイレでは、負圧タンクを所定の真空状態にして、負圧タンクと排水管路とを開通させることによって、排水管路を通じて、便器に溜まった排水を負圧タンクに引き込むことができる。
【先行技術文献】
【特許文献】
【０００３】
【特許文献１】特開２０１４−１２５７１９号公報
【発明の概要】
【発明が解決しようとする課題】
【０００４】
ところで、負圧吸引式トイレにおいて、負圧タンクおよび真空ポンプを屋内に配置する場合、負圧タンクは、例えば、他の排水管路を介して排水容器が接続され、排水容器は、負圧タンクの下方に配置される。負圧タンクに溜まった排水は、自然流下によって、他の排水管路を通じて排水容器に流れる。
【０００５】
排水容器に溜まった排水は、定期的に捨てられる。ここで、排水容器に溜まった排水を捨て易くするために、排水容器は、負圧タンクに接続された他の排水管路に着脱可能に接続されている。そのため、排水容器は、他の排水管路に対して着脱し易い構造であることが好ましい。
【０００６】
本発明はかかる点に鑑みてなされたものであり、その目的は、ポータブルトイレに接続された真空タンクに排水管路を介して接続されるポータブルトイレ用排水容器であって、排水管路に着脱し易いポータブルトイレ用排水容器、ポータブルトイレ用排水容器セットおよびポータブルトイレシステムを提供することである。
【課題を解決するための手段】
【０００７】
本発明に係るポータブルトイレ用排水容器は、ポータブルトイレに接続された真空タンクに、排水管路を介して接続され、前記ポータブルトイレから排出された排水が貯留されるポータブルトイレ用排水容器である。前記ポータブルトイレ用排水容器は、内部に空間を有する容器本体と、前記容器本体の上端に取り付けられる蓋体と、を備えている。前記蓋体には、上方に突出し、前記排水管路に設けられたコネクタに接続される接続部が設けれている。前記接続部の上部には、一方から他方に向かって下方に傾斜した傾斜面が形成されている。前記傾斜面には、前記排水管路から排出される排水が流れる排水孔が形成されている。
【０００８】
上記ポータブルトイレ用排水容器によれば、コネクタを介してポータブルトイレ用排水容器を排水管路に接続させる場合、例えば、傾斜面の他方側の方向へ向かってポータブルトイレ用排水容器をスライド移動させながら、コネクタに近づける。このとき、傾斜面の下方に下がっている部位からコネクタに接触され、傾斜面がコネクタ側に徐々に押されながらコネクタの下方に接続部が配置される。そして、コネクタの下方に接続部が配置されたとき、排水管路とポータブルトイレ用排水容器とが連通した状態となる。また、ポータブルトイレ用排水容器をコネクタから取り外す場合には、傾斜面の一方側の方向へ向かってポータブルトイレ用排水容器をスライド移動させる。このとき、傾斜面によるコネクタ側への押す力が弱まりながら、コネクタから接続部が取り外される。よって、ポータブルトイレ用排水容器をスライド移動させることで、排水管路とポータブルトイレ用排水容器とを着脱させることができる。
【０００９】
本発明の好ましい一態様によれば、前記接続部には、前記排水孔の周縁から下方に向かって延び、上端から下端に向かうにしたがって前記排水孔の中心に向かって傾斜したテーパー面が設けられている。
【００１０】
上記態様によれば、排水孔を通過した排水は、テーパー面に沿って容器本体内に流れる。よって、ポータブルトイレ用排水容器内に流入した排水を飛散し難くすることができる。また、蓋体に排水を留まり難くすることができる。
【００１１】
本発明の好ましい他の一態様によれば、前記排水孔よりも前記蓋体の縁側における前記蓋体の部位には、前記容器本体内の臭気が排出される空気孔が形成されている。
【００１２】
上記態様によれば、空気孔は、臭気などの空気が通過する孔であり、排水が通過しないことが好ましい。ここでは、排水孔よりも蓋体の縁側の部位に空気孔が形成されており、排水孔を通過してテーパー面を流れる排水は、平面視において、空気孔から離れるように流れる。よって、容器本体の底面に到達して飛散した排水が空気孔を通過し難くすることができる。
【００１３】
本発明の好ましい他の一態様によれば、前記蓋体を前記容器本体に取り付けたときにおいて、前記排水孔の下方に位置する前記容器本体の底面の部位には、前記蓋体に向かって突出した凸部が設けられている。
【００１４】
上記態様によれば、排水孔を通過した排水は、容器本体内において、凸部に到達する。ここで、蓋体を容器本体に取り付けた状態において、排水孔から凸部までの距離は、排水孔から凸部が設けられていない容器本体の底面の部位までの距離よりも短くすることができる。よって、排水孔を通過した排水が容器本体内で飛散し難くすることができる。
【００１５】
本発明の好ましい他の一態様によれば、水平面に対する前記傾斜面の角度は、５度〜３０度である。
【００１６】
ポータブルトイレ用排水容器をコンパクトにしたいという観点から、ポータブルトイレ用排水容器の高さは、低いことが好ましい。ポータブルトイレ用排水容器をコンパクトにするためには、水平面に対する傾斜面の角度は、小さい方が好ましい。また、ポータブルトイレ用排水容器の接続部とコネクタとを接続したとき、コネクタと傾斜面との間から排水を漏れなくするために、コネクタと傾斜面とのシール性を確保することが好ましい。水平面に対する傾斜面の角度を大きくする程、コネクタと傾斜面とは圧着されるため、シール性は確保される。そのため、水平面に対する傾斜面の角度は、大きい方が好ましい。そこで、本願出願人は、ポータブルトイレ用排水容器がある程度コンパクトであることと、コネクタと傾斜面とのシール性を確保することの両方が得られる傾斜面の角度を検討した。その結果、水平面に対する傾斜面の角度を５度〜３０度にすることで、ポータブルトイレ用排水容器をある程度コンパクトにすることができると共に、コネクタと傾斜面とのシール性を確保することができることを見出した。上記態様によれば、水平面に対する傾斜面の角度を５度〜３０度にすることで、コンパクトであり、かつ、コネクタと傾斜面との間から排水が好適に漏れ難くすることができるポータブルトイレ用排水容器を提供することができる。
【００１７】
本発明に係るポータブルトイレ用排水容器セットは、上述した何れかのポータブルトイレ用排水容器と、前記排水管路に設けられ、前記ポータブルトイレ用排水容器の前記接続部と接続されるコネクタと、を備えている。前記傾斜面は、前記接続部の前端から後端に向けて下方に傾斜した面である。前記コネクタには、前記接続部に前記コネクタが接続されたときに、前記傾斜面の上方に位置し、前記コネクタの前端から後端に向けて下方に傾斜したコネクタ傾斜面が形成されている。
【００１８】
上記ポータブルトイレ用排水容器セットによれば、コネクタを介してポータブルトイレ用排水容器を排水管路に接続させる場合、例えば、傾斜面の後側の方向へ向かってポータブルトイレ用排水容器をスライド移動させながら、コネクタに近づける。このとき、傾斜面の下方に下がっている部位からコネクタに接触され、傾斜面がコネクタ側に徐々に押されながらコネクタの下方に接続部が配置される。そして、コネクタの下方に接続部が配置されたとき、傾斜面とコネクタ傾斜面とが略平行になり、傾斜面とコネクタ傾斜面とのシール性をより確保することができる。よって、コネクタと接続部との間から排水が漏れ難くすることができる。
【００１９】
本発明の好ましい一態様によれば、前記排水孔は、前後方向に長い長孔である。
【００２０】
上記態様によれば、仮に、接続部とコネクタとの間に、前後方向の多少のずれが生じた場合であっても、排水孔は長孔であるため、排水孔によって排水管路とポータブルトイレ用排水容器とを連通させた状態にすることができる。よって、接続部とコネクタとの前後方向の多少のずれが生じ場合であっても、排水孔を通じて、排水管路から流れる排水をポータブルトイレ用排水容器に流すことができる。
【００２１】
本発明の好ましい他の一態様によれば、前記コネクタの前記コネクタ傾斜面と、前記接続部の前記傾斜面との間に設けられたパッキンを備えている。
【００２２】
上記態様によれば、パッキンによってコネクタ傾斜面と傾斜面との間のシール性をより確保することができる。よって、コネクタ傾斜面と傾斜面との間から排水がより漏れ難くすることができる。
【００２３】
本発明の好ましい他の一態様によれば、前記パッキンは、前記コネクタに支持されている。
【００２４】
上記態様によれば、コネクタから接続部を取り外した際、パッキンはコネクタに支持されている。コネクタに接続部を接続する際、パッキンがコネクタに支持された状態で、コネクタに接続部が接続される。そのため、パッキンを気にすることなく、コネクタに対する接続部の着脱を行うことができる。
【００２５】
本発明に係るポータブルトイレシステムは、前記ポータブルトイレと、前記ポータブルトイレに接続された真空タンクと、前記真空タンクに接続された真空ポンプと、前記真空タンクに一端が接続された排水管路と、上述した何れかのポータブルトイレ用排水容器セットと、前記真空タンク、前記真空ポンプ、前記排水管路および前記ポータブルトイレ用排水容器が収容されるキャビネットと、を備えている。
【００２６】
上記ポータブルトイレシステムによれば、上述した何れかのポータブルトイレ用排水容器セットを備えたポータブルトイレシステムを提供することができる。
【００２７】
本発明の好ましい一態様によれば、前記キャビネットは、前記ポータブルトイレ用排水容器が載置される載置板と、前記載置板における前記ポータブルトイレ用排水容器が載置される部位よりも前方の部位に設けられ、上方に突出した係止突起と、を備えている。
【００２８】
傾斜面とコネクタ傾斜面とは、共に傾斜しているため、コネクタに接続部を接続したとき、コネクタに対する接続部の位置がずれることで、コネクタに対するポータブルトイレ用排水容器の位置が徐々に前方にずれるおそれがある。しかしながら、上記態様によれば、載置板におけるポータブルトイレ用排水容器が載置される部位よりも前方の部位に係止突起が設けられているため、係止突起によって、ポータブルトイレ用排水容器による前方への移動が規制される。よって、コネクタに対する接続部の位置をずれ難くすることができる。
【００２９】
本発明の好ましい他の一態様によれば、前記キャビネットは、前記ポータブルトイレ用排水容器が前記載置板に配置されたときにおいて、前記ポータブルトイレ用排水容器の左右両側における前記載置板の部位から上方に延びたガイド板を備えている。
【００３０】
上記態様によれば、載置板にポータブルトイレ用排水容器を配置する際、ガイド板に沿ってポータブルトイレ用排水容器をスライド移動させる。このことで、ポータブルトイレ用排水容器を載置板の適切な箇所に配置し易い。
【発明の効果】
【００３１】
本発明によれば、ポータブルトイレに接続された真空タンクに排水管路を介して接続されるポータブルトイレ用排水容器であって、排水管路に着脱し易いポータブルトイレ用排水容器、ポータブルトイレ用排水容器セットおよびポータブルトイレシステムを提供することができる。
【図面の簡単な説明】
【００３２】
【図１】実施形態に係るポータブルトイレシステムを模式的に示す側面図である。
【図２】キャビネットの正面図である。
【図３】キャビネットの正面図であり、下扉が開かれた状態を示す図である。
【図４】キャビネットの正面図であり、上扉および下扉が開かれた状態を示す図である。
【図５】図４のＶ−Ｖ断面におけるキャビネットの右側面断面図である。
【図６】排水容器が取り出され、かつ、スライド棚が前方にスライドされた状態を示す図５相当図である。
【図７】排水容器セットの排水容器およびコネクタを示す斜視図である。
【図８】図７のＶＩＩＩ−ＶＩＩＩ断面における排水容器およびコネクタの側面断面図である。
【図９】排水容器の平面図である。
【図１０】図９のＸ−Ｘ断面における排水容器の断面図である。
【図１１】コネクタを示す斜視図である。
【図１２】パッキンの平面図である。
【図１３】排水機構のブロック図である
【発明を実施するための形態】
【００３３】
以下、図面を参照しながら、本発明の実施形態に係るポータブルトイレ用排水容器（以下、排水容器という。）を備えたポータブルトイレシステムについて説明する。なお、ここで説明する実施形態は、本発明の実施形態に過ぎず、当然ながら本発明を限定することを意図したものではない。
【００３４】
図１は、本実施形態に係るポータブルトイレシステム１００を模式的に示す側面図である。図１に示すように、ポータブルトイレシステム１００は、真空式のトイレのシステムである。本実施形態では、ポータブルトイレシステム１００は、負圧吸引式のトイレのシステムである。しかしながら、ポータブルトイレシステム１００は、加圧式のトイレのシステムであってもよい。本実施形態に係るポータブルトイレシステム１００は、ポータブルトイレ１０と、排水機構２０とを備えている。
【００３５】
ポータブルトイレ１０とは、主に高齢者および身障者などのいわゆる要介護者に使用されるトイレであり、介護用に好適に使用されるトイレである。また、ポータブルトイレ１０は、床に固定されるトイレではなく、移動可能式のトイレである。なお、ポータブルトイレ１０の具体的な構成は特に限定されない。ここでは、ポータブルトイレ１０の構成の具体的な説明は省略するが、例えば、ポータブルトイレ１０は、便などの排泄物が含まれる排水が排出される有底の容器を有する便器１１と、使用者が座る便座１２と、背もたれ１３と、肘掛１４などを備えている。更に、ポータブルトイレ１０において、便器１１の底部には、排水孔１６が形成されている。
【００３６】
排水機構２０は、ポータブルトイレ１０の便器１１に排出された排泄物を含む排水を便器１１から排出する機構である。本実施形態では、排水機構２０は、真空式の機構であり、後述の真空タンク２４を負圧にすることによって、排水を便器１１から排出させる。すなわち、ここでは、排水機構２０は、負圧吸引式の機構である。なお、排水機構２０の具体的な構成は特に限定されない。本実施形態では、排水機構２０は、給水タンク２１と、給水ポンプ２２と、真空タンク２４と、真空ポンプ２６と、第１排水管路３１と、第２排水管路３２と、キャビネット７０と、排水容器セット４０Ａと、制御装置１１０（図４参照）と、を備えている。
【００３７】
給水タンク２１および給水ポンプ２２は、ポータブルトイレ１０の便器１１への給水を行うものである。給水タンク２１には、水が溜められており、給水タンク２１は、給水管路（図示せず）を介して便器１１に接続されている。また、給水タンク２１には、給水ポンプ２２が接続されている。詳しい説明は省略するが、給水ポンプ２２が駆動することによって、給水タンク２１に溜められた水が上記給水管路を通じて便器１１へ流れる。
【００３８】
真空タンク２４は、吸引孔２４ａを有する容器であり、所定の負圧に耐えうる耐圧性と、排水を一時的に収容するための所定の耐食性を有しているとよい。吸引孔２４ａは、真空タンク２４に排水が入る孔である。本実施形態では、真空タンク２４の底部には、排水孔２４ｄが形成されている。真空ポンプ２６は、真空タンク２４を所定の真空状態にするポンプである。真空ポンプ２６は真空タンク２４に接続されている。図示は省略するが、真空ポンプ２６は、例えば、圧力計を備え、この圧力計の計測値に基づいて予め定められた負圧を真空タンク２４に形成するものであるとよい。
【００３９】
第１排水管路３１は、ポータブルトイレ１０の便器１１と、真空タンク２４とを繋ぐものである。本実施形態では、第１排水管路３１の一端は、便器１１に形成された排水孔１６に接続されている。第１排水管路３１の他端は、真空タンク２４の吸引孔２４ａに接続されている。なお、第１排水管路３１の一部は、湾曲していてもよい。
【００４０】
第２排水管路３２は、真空タンク２４と、排水容器セット４０Ａの後述する排水容器４０とを繋ぐものである。本実施形態では、第２排水管路３２は、上下方向に延びた管路である。第２排水管路３２の一端は、真空タンク２４の底部に形成された排水孔２４ｄに接続されている。第２排水管路３２の他端は、排水容器４０に接続されている。なお、本実施形態では、第２排水管路３２は、本発明の「排水管路」の一例である。
【００４１】
なお、本実施形態では、排水機構２０は、弁３５ａと、開放弁３５ｂと、弁３５ｃと、弁３５ｄとを備えていてもよい。弁３５ａは、真空タンク２４の吸引孔２４ａを開閉するためのものであり、例えば、吸引孔２４ａに設けられている。しかしながら、弁３５ａは、吸引孔２４ａに接続された第１排水管路３１に設けられていてもよい。開放弁３５ｂは、真空タンク２４内の空気を開放させるための弁であり、真空タンク２４に設けられている。弁３５ｃは、真空タンク２４の排水孔２４ｄを開閉するためのものであり、例えば、排水孔２４ｄに設けられている。しかしながら、弁３５ｃは、排水孔２４ｄに接続された第２排水管路３２に設けられていてもよい。弁３５ｄは、真空タンク２４と真空ポンプ２６との間に設けられている。なお、本実施形態では、弁３５ａ、開放弁３５ｂ、弁３５ｃ、および、弁３５ｄは、それぞれ電磁弁である。
【００４２】
本実施形態では、真空ポンプ２６が作動する際、真空タンク２４の吸引孔２４ａに設けられた弁３５ａ、開放弁３５ｂおよび排水孔２４ｄに設けられた弁３５ｃは、それぞれ閉じられている。真空ポンプ２６と真空タンク２４との間に設けられた弁３５ｄは、真空ポンプ２６が真空タンク２４内の空気を吸い、負圧を形成する際には開放されている。この状態で、真空タンク２４は、真空ポンプ２６によって空気が吸い出され、予め定められた圧力（例えば、絶対圧で大凡０．０８ＭＰａ以下）まで減圧される。弁３５ｄは、予め定められた圧力まで減圧され、かつ、真空タンク２４が排水を引き込む際には閉じられる。
【００４３】
予め定められた圧力まで減圧された真空タンク２４の吸引孔２４ａに設けられた弁３５ａが開放されると、便器１１に溜まった排水が第１排水管路３１を通じて真空タンク２４に引き込まれる。ここで、真空タンク２４に排水が引き込まれる際には、真空ポンプ２６に設けられた弁３５ｄが閉じられているため、真空ポンプ２６に排水が入るのが防止される。本実施形態では、真空タンク２４の排水孔２４ｄに設けられた弁３５ｃが開かれると、真空タンク２４内に溜まった排水は、第２排水管路３２を通じて排水容器４０に流れる。また、真空タンク２４の排水孔２４ｄに設けられた弁３５ｃが開かれた際には、真空タンク２４の開放弁３５ｂが開かれる。このことによって、真空タンク２４に溜まった排水が排水容器４０に流れ易くなる。
【００４４】
本実施形態では、排水機構２０は、水位センサ３７を備えていてもよい。水位センサ３７は、排水容器４０内の排水の水位を検出するセンサである。例えば、水位センサ３７は、後述する仕切部材７９ａ、７９ｂ（図３参照）の何れかに設けられている。しかしながら、水位センサ３７の位置は特に限定されない。また、水位センサ３７の種類は特に限定されないが、例えば、水位センサ３７は、非接触式のセンサであり、排水に接触することなく排水容器４０内の排水の水位を検出するように構成されていてもよい。
【００４５】
次に、キャビネット７０について説明する。図２は、キャビネット７０の正面図である。図３は、下扉７６が開かれた状態を示すキャビネット７０の正面図である。図４は、上扉７５および下扉７６が開かれた状態を示すキャビネット７０の正面図である。図５は、図４のＶ−Ｖ断面におけるキャビネット７０の右側面断面図であり、スライド棚７３が外枠７１内に収容されている状態を示す図である。図６は、排水容器４０が取り出され、かつ、スライド棚７３が前方にスライドされた状態を示す図５相当図である。本実施形態では、図面中の符号Ｆは前を示し、符号Ｒｒは後ろを示す。以下の説明では、符号Ｆの方向からキャビネット７０を見たときの左、右、上および下が、それぞれキャビネット７０の左、右、上、下を意味するものとする。図面中の符号Ｌ、Ｒ、ＵおよびＤは、それぞれ左、右、上および下を意味するものとする。ただし、これら方向は、説明の便宜上定めた方向に過ぎず、キャビネット７０の設置態様を何ら限定するものではない。
【００４６】
図５に示すように、キャビネット７０は、排水機構２０を構成する構成要素の一部、および、排水容器セット４０Ａが収容されるものである。本実施形態では、キャビネット７０には、真空タンク２４、真空ポンプ２６、第１排水管路３１の一部（図示せず）、第２排水管路３２および排水容器セット４０Ａが収容される。キャビネット７０は、箱状に形成されており、前部が開口している。本実施形態では、図３に示すように、キャビネット７０は、外枠７１と、スライド棚７３（図４参照）と、上扉７５と、下扉７６とを有している。
【００４７】
図４に示すように、外枠７１は、矩形状の底板７２ａと、左板７２ｂと、右板７２ｃと、後板７２ｄと、天板７２ｅとを有している。ここでは、底板７２ａは、本発明の「載置板」の一例である。左板７２ｂは、底板７２ａの左端から上方に延びている。右板７２ｃは、左板７２ｂと左右方向に対向しており、底板７２ａの右端から上方に延びている。図５に示すように、後板７２ｄは、底板７２ａの後端から上方に延びている。後板７２ｄの左端は左板７２ｂの後端に接続され、後板７２ｄの右端は右板７２ｃの後端に接続されている。天板７２ｅは、底板７２ａの上方に配置されており、左板７２ｂ、右板７２ｃおよび後板７２ｄのそれぞれの上端に接続されている。本実施形態では、外枠７１によって囲まれた空間が収容空間７８である。なお、本実施形態では、キャビネット７０の下面（ここでは、底板７２ａの下面）の四隅には、キャスター７９が回転可能に設けられていてもよい。
【００４８】
図５および図６に示すように、スライド棚７３は、外枠７１に対して前後方向にスライド可能なものである。本実施形態では、スライド棚７３には、例えば、真空タンク２４、真空ポンプ２６、および、制御装置１１０が載置される。ここでは、スライド棚７３の前部に、制御装置１１０が配置され、スライド棚７３の後部に、真空タンク２４および真空ポンプ２６が配置される。スライド棚７３は、矩形状であり、かつ、板状の棚であり、収容空間７８を上下方向に２つの空間に区分けする。ここでは、図４に示すように、スライド棚７３によって、収容空間７８は、スライド棚７３の上方に位置する上側空間７８ａと、スライド棚７３の下方に位置する下側空間７８ｂに区分けされる。
【００４９】
スライド棚７３を前後方向にスライドさせる具体的な構成は特に限定されない。本実施形態では、図４に示すように、キャビネット７０は、スライド機構８０を備えている。スライド機構８０は、スライド棚７３を外枠７１に対して前後方向にスライドさせる機構である。本実施形態では、スライド機構８０は、一対のガイドレール８１ａ、８１ｂと、摺動部材８２ａ、８２ｂと、を備えている。一対のガイドレール８１ａ、８１ｂは、スライド棚７３のスライドをガイドするものである。一対のガイドレール８１ａ、８１ｂは、それぞれ前後方向に延びた部材である。ここでは、左側ガイドレール８１ａは、左板７２ｂの内面（ここでは、右面）に設けられている。右側ガイドレール８１ｂは、左側ガイドレール８１ａと左右方向で対向するように、右板７２ｃの内面（ここでは、左面）に設けられている。摺動部材８２ａ、８２ｂは、一対のガイドレール８１ａ、８１ｂに摺動可能なものである。ここでは、摺動部材８２ａ、８２ｂは、それぞれ前後方向に延びたものである。具体的には、左側摺動部材８２ａは、スライド棚７３の左端に設けられており、左側ガイドレール８１ａに摺動可能に係合している。右側摺動部材８２ｂは、スライド棚７３の右端に設けられており、右側ガイドレール８１ｂに摺動可能に係合している。本実施形態では、摺動部材８２ａ、８２ｂが一対のガイドレール８１ａ、８１ｂに対して摺動自在に移動することで、スライド棚７３は、前後方向に移動可能となる。
【００５０】
なお、本実施形態では、図６に示すように、キャビネット７０には、スライド棚７３が最も前に移動したときに、スライド棚７３をロックするスライドロック機構８３が設けられていてもよい。このスライドロック機構８３の具体的な機構は特に限定されず、例えば、従来公知の機構であってもよい。
【００５１】
図２に示すように、上扉７５は、外枠７１の前部かつ上部に設けられた扉である。具体的には、図５に示すように、上扉７５は、キャビネット７０の前部の開口のうち、上側空間７８ａの開口部分および下側空間７８ｂの上部の開口部分を開閉するものである。本実施形態では、図２に示すように、上扉７５は、矩形状の板状のものであり、外面（本実施形態では、前面）は平らな面となっている。ここでは、上扉７５の外面には、取っ手など、使用者の手が把持されるものや、使用者が手を引っ掛ける凹みなどは形成されていない。
【００５２】
上扉７５は、外枠７１の前端に取り外し可能に設けられている。本実施形態では、上扉７５は、下扉７６が下側空間７８ｂを開放している状態において、外枠７１に対して取り外し可能なように構成されている。ここでは、図４に示すように、キャビネット７０は、取り外し機構４４を備えている。取り外し機構４４によって、上扉７５は、外枠７１に着脱可能に設けられる。なお、取り外し機構４４の具体的な構成は特に限定されない。
【００５３】
図２に示すように、下扉７６は、外枠７１の前部かつ下部に設けられた扉である。具体的には、下扉７６は、キャビネット７０の前部の開口のうち、下側空間７８ｂ（図４参照）の上部以外の開口部分を開閉するものである。下扉７６は、上扉７５の下方に配置される。本実施形態では、下扉７６は、矩形状の板状のものであり、外面（本実施形態では、前面）は平らな面となっている。ここでは、上扉７５と同様に、下扉７６の外面には、使用者の手が把持されるものや、使用者が手を引っ掛ける凹みなどは形成されていない。本実施形態では、図２および図３に示すように、下扉７６は、外枠７１の一端に取り付けられており、外枠７１の一端を軸にして、下側空間７８ｂの少なくとも一部を開閉可能に回転する。ここでは、下扉７６の右端は、ヒンジ７６ａを介して外枠７１の右板７２ｃの前端に固定されている。
【００５４】
本実施形態では、図３に示すように、キャビネット７０は、下扉７６の開閉をロックする扉ロック機構８７を備えている。扉ロック機構８７は、下扉７６が下側空間７８ｂを閉じている状態、すなわち、下扉７６が外枠７１の前端と接触している状態で下扉７６の回転をロックする。なお、扉ロック機構８７の具体的な構成は特に限定されない。ここでは、扉ロック機構８７は、いわゆるラッチ式のロック機構である。
【００５５】
本実施形態では、キャビネット７０は、木製である。すなわち、外枠７１、スライド棚７３、上扉７５および下扉７６は、木製である。しかしながら、キャビネット７０を形成する材質は特に限定されない。例えば、キャビネット７０を構成する外枠７１、スライド棚７３、上扉７５および下扉７６の一部または全部は、プラスチックまたは金属によって形成されていてもよい。
【００５６】
本実施形態では、図３に示すように、外枠７１の底面（ここでは、底板７２ａの上面）には、仕切部材７９ａ、７９ｂが設けられている。仕切部材７９ａ、７９ｂは、排水容器４０をキャビネット７０内に収容した際、排水容器４０が他の部材と干渉することを防止するための板である。また、本実施形態では、排水容器４０は前後方向にスライドさせながら、キャビネット７０に収容される。そこで、仕切部材７９ａ、７９ｂは、排水容器４０をスライドさせる際にガイドする役割を担う。ここでは、仕切部材７９ａ、７９ｂは、底板７２ａから上方に向かって延びている。詳しくは、左側仕切部材７９ａは、底板７２ａの左部の部位から左斜め上に向かって傾斜しながら延びている。右側仕切部材７９ｂは、底板７２ａの右部の部位から右斜め上に向かって傾斜しながら延びている。左側仕切部材７９ａの下端と、右側仕切部材７９ｂの下端との左右方向の距離は、排水容器４０の左右方向の長さよりも若干長い。ここでは、左側仕切部材７９ａと右側仕切部材７９ｂとの間のスペースに排水容器４０が配置される。なお、本実施形態では、仕切部材７９ａ、７９ｂは、本発明の「ガイド板」の一例である。
【００５７】
本実施形態では、キャビネット７０には、リセットボタン１０１が設けられている。ここでは、制御装置１１０は、排水機構２０によって、ポータブルトイレ１０の便器１１に溜まった排水を排出した回数である排水回数をカウントし、カウントされた回数は、制御装置１１０の記憶部１１４に記憶された排水回数変数に代入される。リセットボタン１０１は、この排水回数をリセットするためのボタンである。ここでは、使用者がリセットボタン１０１を押すことで、上記排水回数がリセットされる。なお、リセットボタン１０１の配置位置は特に限定されない。本実施形態では、リセットボタン１０１は、キャビネット７０の底板７２ａに配置されている。詳しくは、リセットボタン１０１は、底板７２ａの左側仕切部材７９ａよりも左方の前側の部位に配置されている。しかしながら、リセットボタン１０１は、例えば、底板７２ａの右側仕切部材７９ｂよりも右方の前側の部位に配置されていてもよい。
【００５８】
次に、本実施形態に係る排水容器セット４０Ａについて説明する。図７は、排水容器セット４０Ａの排水容器４０およびコネクタ９０の斜視図である。図８は、図７のＶＩＩＩ−ＶＩＩＩ断面における排水容器４０およびコネクタ９０の側面断面図である。以下の排水容器セット４０Ａの排水容器４０およびコネクタ９０に関する説明において、排水容器４０およびコネクタ９０の前、後、左、右、上、下とは、排水容器４０およびコネクタ９０をキャビネット７０内に配置したときの排水容器４０およびコネクタ９０の前、後、左、右、上、下のこという。排水容器セット４０Ａは、本発明の「ポータブルトイレ用排水容器セット」の一例である。排水容器セット４０Ａは、ポータブルトイレ１０から排出された排水が貯留される容器のセットである。本実施形態では、図７に示すように、排水容器セット４０Ａは、排水容器４０と、コネクタ９０とを備えている。
【００５９】
排水容器４０は、真空タンク２４（図５参照）から排出された排水が貯留されるものである。排水容器４０は、本発明の「ポータブルトイレ用排水容器」の一例である。本実施形態では、図４に示すように、排水容器４０は、キャビネット７０の底板７２ａに配置され、かつ、真空タンク２４の下方に配置される。排水容器４０には、第２排水管路３２の他端が着脱可能に接続される。ここでは、排水容器４０は、底板７２ａに沿って前から後ろに向かってスライド移動させ、図５に示すように、排水容器４０が真空タンク２４の下方に位置したときに、第２排水管路３２に接続されるように構成されている。ここでは、真空タンク２４内の排水は、自然流下によって、排水容器４０に流れる。本実施形態では、図７に示すように、排水容器４０は、容器本体４１と、蓋体４２とを備えている。
【００６０】
図８に示すように、容器本体４１は、所定の空間が形成された有底のものである。本実施形態では、容器本体４１の後部の底面には、上方に突出した凸部４５が形成されている。すなわち、容器本体４１の後部の底面は、後方に向かうに従って、上方に盛り上がっており、凸部４５によって段差が形成されている。図７に示すように、凸部４５は、左右方向において、左右方向の中心に向かうに従って、前方に凸となるように湾曲している。また、図８に示すように、凸部４５は、側面において、上方に凸となるように湾曲している。ここでは、例えば、容器本体４１の上端から凸部４５までの距離は、容器本体４１の上端から容器本体４１の前部の底面までの距離よりも短い。
【００６１】
図９は、排水容器４０の平面図である。本実施形態では、図９に示すように、容器本体４１の上端部には、使用者が把持するための取っ手４６が設けられていてもよい。取っ手４６は、容器本体４１の左右両側面の上部を架け渡すように容器本体４１に枢着されている。取っ手４６は、略コの字状の形状である。
【００６２】
次に、蓋体４２について説明する。図８に示すように、蓋体４２は、容器本体４１の上端に設けられ、容器本体４１の内部の空間を覆うように配置される。本実施形態では、蓋体４２には、接続部５０が設けられている。接続部５０は、コネクタ９０を介して第２排水管路３２の他端に接続される部位である。ここでは、接続部５０は、蓋体４２の後部の中央部分であって、蓋体４２を容器本体４１に配置した状態において、凸部４５の上方における蓋体４２の部位に形成されている。接続部５０は、蓋体４２の後部の中央部分から上方に向かって突出している。
【００６３】
本実施形態では、接続部５０の上部には、接続部５０の前端から後端に向かって下方に傾斜した傾斜面５１が形成されている。傾斜面５１は、平らな面であり、コネクタ９０を介して排水容器４０を第２排水管路３２に接続した際、後述するパッキン９７と接触する面である。ここで、水平面に対する傾斜面５１の角度Ｒ１は、５度から３０度であり、好ましくは、５度から１５度である。例えば、角度Ｒ１は、１０度である。ここで、水平面とは、排水容器４０をキャビネット７０に収容したときの地面の面と平行な面のことである。
【００６４】
接続部５０の傾斜面５１には、排水孔５２および空気孔５３が形成されている。排水孔５２は、ポータブルトイレ１０から排出された排水が通過する孔であり、第２排水管路３２と容器本体４１内の空間とを連通させる孔である。本実施形態では、排水孔５２は、傾斜面５１の前部に形成されている。詳しくは、蓋体４２を容器本体４１に配置した状態において、排水孔５２は、容器本体４１の凸部４５の上方における傾斜面５１の部位に形成されている。ここでは、図９に示すように、排水孔５２は、前後方向に長い長孔である。すなわち、排水孔５２の前後方向の長さＬ１１は、排水孔５２の左右方向の長さＬ１２よりも長い。
【００６５】
本実施形態では、図８に示すように、接続部５０にはテーパー面５５が形成されている。テーパー面５５は、排水孔５２の周縁から下方に延びた面である。ここでは、テーパー面５５は、排水孔５２から下方に向かうに従って排水孔５２の中心に向かって傾斜している。よって、テーパー面５５の下端に形成された孔５６は、排水孔５２よりも小さい。換言すると、孔５６の面積は、排水孔５２の面積よりも小さい。
【００６６】
空気孔５３は、排水容器４０内の臭気を含む空気を外部へ逃がすための孔である。蓋体４２を容器本体４１に配置した際、空気孔５３は、容器本体４１内の空間と連通する。本実施形態では、空気孔５３は、傾斜面５１の後部であって、排水孔５２よりも後方に位置する傾斜面５１の部位に形成されている。しかしながら、空気孔５３の位置は特に限定されない。例えば、空気孔５３は、排水孔５２よりも前方に位置していてもよい。また、空気孔５３は、蓋体４２の接続部５０以外の部位に形成されていてもよい。ここでは、図９に示すように、空気孔５３の形状は、前部が矩形状であり、かつ、後部が円形状な形状であるが、排水孔５２と同様に長孔形状であってもよい。また、ここでは、空気孔５３は、排水孔５２よりも小さい孔である。換言すると、空気孔５３の面積は、排水孔５２の面積よりも小さい。しかしながら、空気孔５３は、排水孔５２よりも大きくてもよいし、排水孔５２と同じ大きさであってもよい。
【００６７】
本実施形態では、図７に示すように、蓋体４２には、把手５８が形成されていてもよい。把手５８は、蓋体４２の中央部分であって、接続部５０よりも前方に位置する蓋体４２の部位に設けられている。ここでは、把手５８は、蓋体４２の中央部分から上方に突出しており、把手５８には、左右方向に貫通した把手孔５８ａが形成されている。使用者は、把手孔５８ａに手を挿入して把手５８を掴むことで、蓋体４２を持つことができる。
【００６８】
なお、本実施形態では、図９に示すように、排水容器４０は、容器ロック部材６５を備えている。容器ロック部材６５は、容器本体４１に対して蓋体４２をロックするものである。ここでは、容器ロック部材６５は、蓋体４２の左右両側に１つずつ設けられている。図１０は、図９のＸ−Ｘ断面における排水容器４０の断面図である。本実施形態では、図１０に示すように、容器本体４１の上端の周縁には、下方に開口した断面コの字状の本体側折り曲げ部６１が形成されている。蓋体４２の周縁には、下方に開口した断面コの字状の蓋側折り曲げ部６２が形成されている。蓋体４２を容器本体４１に配置したとき、本体側折り曲げ部６１を覆うように本体側折り曲げ部６１上に蓋側折り曲げ部６２が配置される。ここでは、蓋側折り曲げ部６２の外周の左右両側の部位には、外側に突出したロック部材取付部６３が形成されている。容器ロック部材６５は、ロック部材取付部６３に回転自在に設けられている。
【００６９】
本実施形態では、容器ロック部材６５は、板状の把手部６６と、把手部６６の一端に設けられ、前後方向に延びた回転軸６７ａが形成された軸受け部６７と、軸受け部６７に設けられたフック部６８とを備えている。回転軸６７ａは、ロック部材取付部６３に回転自在に支持されており、回転軸６７ａの回転に伴い、容器ロック部材６５は回転する。フック部６８は、断面コの字状であり、本体側折り曲げ部６１および蓋側折り曲げ部６２に下方から嵌め込まれるものである。本実施形態では、本体側折り曲げ部６１上に蓋側折り曲げ部６２を配置させている状態において、回転軸６７ａを軸にして把手部６６の先端が下方に向かうように回転させる。このとき、容器ロック部材６５のフック部６８が本体側折り曲げ部６１および蓋側折り曲げ部６２に対して下方から嵌め込まれる。このことによって、容器本体４１に対して蓋体４２がロックされる。
【００７０】
図８に示すように、コネクタ９０は、第２排水管路３２と排水容器４０とを接続するための部材である。本実施形態では、コネクタ９０は、第２排水管路３２の他端に設けられており、排水容器４０が前方から後方に向かってスライドして、コネクタ９０の下方に位置したとき、コネクタ９０と排水容器４０の接続部５０とが接続される。図１１は、コネクタ９０の斜視図である。本実施形態では、図１１に示すように、コネクタ９０は、コネクタ傾斜面９１と、コネクタ側面９２とを備えている。図８に示すように、コネクタ傾斜面９１は、コネクタ９０に排水容器４０が接続された際、排水容器４０の傾斜面５１と対向する面である。コネクタ傾斜面９１は、前端から後端に向かって下方に傾斜している。コネクタ傾斜面９１は、平らな面である。なお、水平面に対するコネクタ傾斜面９１の角度Ｒ２は、水平面に対する傾斜面５１の角度Ｒ１と略同じである。ここでは、角度Ｒ２は、５度から３０度であり、好ましくは、５度から１５度である。例えば、角度Ｒ２は、１０度である。本実施形態では、コネクタ傾斜面９１は、傾斜面５１と同じ形状である。
【００７１】
本実施形態では、コネクタ傾斜面９１には、コネクタ排水孔９３およびコネクタ空気孔９４が形成されている。コネクタ排水孔９３は、ポータブルトイレ１０から排出された排水が通過する孔であり、第２排水管路３２と、排水容器４０の排水孔５２とを連通させる孔である。本実施形態では、コネクタ排水孔９３は、コネクタ傾斜面９１の前部に形成されている。詳しくは、コネクタ排水孔９３は、コネクタ９０と排水容器４０が接続された状態において、排水孔５２の上方に位置するコネクタ傾斜面９１の部位に形成されている。本実施形態では、コネクタ排水孔９３の形状は、真円形状であるが、排水孔５２と同様に、長孔形状であってもよい。ここでは、コネクタ排水孔９３は、排水孔５２よりも小さい。すなわち、コネクタ排水孔９３の面積は、排水孔５２の面積よりも小さい。
【００７２】
なお、本実施形態では、コネクタ９０のコネクタ排水孔９３の周縁には、上方に延びた排水側接続筒９５が設けられている。排水側接続筒９５には、第２排水管路３２の他端が接続される。ここでは、排水側接続筒９５の外周面、および、第２排水管路３２の他端部の内周面には、ねじ溝が形成されている。そのため、排水側接続筒９５を第２排水管路３２の他端部に挿入することで、コネクタ９０は、第２排水管路３２に固定される。
【００７３】
コネクタ空気孔９４は、排水容器４０内の臭気を含む空気を外部へ逃がすための孔である。コネクタ９０に排水容器４０が接続されたとき、コネクタ空気孔９４と、排水容器４０の空気孔５３とは連通する。本実施形態では、コネクタ空気孔９４は、コネクタ傾斜面９１の後部であって、コネクタ排水孔９３よりも後方に位置するコネクタ傾斜面９１の部位に形成されている。詳しくは、コネクタ空気孔９４は、コネクタ９０と排水容器４０とが接続された状態において、排水容器４０の空気孔５３の上方に位置するコネクタ傾斜面９１の部位に形成されている。ここでは、コネクタ空気孔９４の形状は、真円形状であるが、長孔形状であってもよい。コネクタ空気孔９４は、コネクタ排水孔９３および空気孔５３よりも小さい。すなわち、コネクタ空気孔９４の面積は、コネクタ排水孔９３の面積よりも小さく、空気孔５３の面積よりも小さい。しかしながら、コネクタ空気孔９４は、コネクタ排水孔９３と同じ大きさであってもよいし、コネクタ排水孔９３よりも大きくてもよい。また、コネクタ空気孔９４は、空気孔５３と同じ大きさであってもよいし、空気孔５３よりも大きくてもよい。
【００７４】
なお、本実施形態では、コネクタ空気孔９４の周縁には、上方に延びた空気側接続筒９６が設けられている。空気側接続筒９６には、空気が通るチューブなどの管路（図示せず）が接続される。ここでは、空気側接続筒９６の外周面、および、上記管路の内周面には、ねじ溝が形成されている。そのため、空気側接続筒９６を上記管路に挿入することで、コネクタ９０に上記管路が固定される。
【００７５】
図１１に示すように、コネクタ側面９２は、コネクタ傾斜面９１の周縁から下方に延びたものである。コネクタ側面９２に囲まれるように空間が形成されており、その空間に排水容器４０の接続部５０の一部が嵌め込まれている。
【００７６】
本実施液体では、図８に示すように、コネクタ９０と排水容器４０の接続部５０との間には、板状のパッキン９７が設けられている。パッキン９７は、多孔質の材料、例えばスポンジによって形成されている。本実施形態では、パッキン９７は、コネクタ９０のコネクタ側面９２に囲まれるように配置されている。図１２は、パッキン９７の平面図である。図１２に示すように、パッキン９７は、パッキン本体９７ａと、支持部９７ｂとを備えている。パッキン本体９７ａは、コネクタ傾斜面９１と同様の形状をしている。ここでは、パッキン本体９７ａは、後方が円形形状であり、かつ、前方が矩形状である。
【００７７】
本実施形態では、パッキン本体９７ａには、パッキン排水孔９８ａおよびパッキン空気孔９８ｂが形成されている。パッキン排水孔９８ａは、パッキン本体９７ａの前部に形成されている。ここでは、図８に示すように、パッキン９７をコネクタ９０に取り付けた状態において、パッキン排水孔９８ａは、コネクタ排水孔９３の下方に位置するパッキン本体９７ａの部位に形成されている。本実施形態では、パッキン排水孔９８ａは、排水孔５２よりも小さく、コネクタ排水孔９３よりも若干大きい。すなわち、パッキン排水孔９８ａの面積は、排水孔５２の面積よりも小さく、コネクタ排水孔９３の面積よりも若干大きい。パッキン空気孔９８ｂは、パッキン本体９７ａの後部に形成されている。ここでは、パッキン９７をコネクタ９０に取り付けた状態において、パッキン空気孔９８ｂは、コネクタ空気孔９４の下方に位置するパッキン本体９７ａの部位に形成されている。本実施形態では、パッキン空気孔９８ｂは、空気孔５３よりも小さく、コネクタ空気孔９４よりも大きい。すなわち、パッキン空気孔９８ｂの面積は、空気孔５３の面積よりも小さく、コネクタ空気孔９４の面積よりも大きい。
【００７８】
図１２に示すように、支持部９７ｂは、パッキン本体９７ａの左右両側にそれぞれ２つずつ設けられている。詳しくは、左側の２つの支持部９７ｂは、パッキン本体９７ａの左端の前部および後部に設けられており、左方に突出している。右側の２つの支持部９７ｂは、パッキン本体９７ａの右端の前部および後部に設けられており、右方に突出している。４つの支持部９７ｂの形状は、角柱形状である。本実施形態では、図１１に示すように、コネクタ９０のコネクタ側面９２のうち、左右両側の側面には、支持孔９２ａが２つずつ形成されている。これら支持孔９２ａにパッキン９７の支持部９７ｂがそれぞれ挿入されることで、パッキン９７は、コネクタ９０に支持されている状態となる。
【００７９】
本実施形態では、図３に示すように、キャビネット７０の底板７２ａには、係止突起９９が設けられている。この係止突起９９は、底板７２ａ上において、排水容器４０をコネクタ９０に接続した際、排水容器４０がスライドすることで、排水容器４０がコネクタ９０から外れることを抑制するためのものである。図５に示すように、係止突起９９は、排水容器４０がコネクタ９０に接続されている状態において、排水容器４０の前方に位置する底板７２ａの部位に形成されている。係止突起９９は、排水容器４０のすぐ前方に配置される。ここでは、係止突起９９は、底板７２ａから上方に若干突出している。なお、係止突起９９の形状および材質は特に限定されない。本実施形態では、係止突起９９は、平面視において矩形状であり、金属によって形成されている。
【００８０】
次に、制御装置１１０について説明する。図１３は、排水機構２０のブロック図である。制御装置１１０は、ポータブルトイレ１０の便器１１内の排泄物が含まれる排水を排出する制御を行うものである。制御装置１１０は、マイクロコンピュータからなっている。制御装置１１０は、中央処理装置（ＣＰＵ）と、ＣＰＵが実行するプログラムなどを格納したＲＯＭと、ＲＡＭなどを備えている。ここでは、マイクロコンピュータ内に保存されたプログラムを使用して、排泄物を排出する制御を行う。なお、ここでいうプログラムとは、いわゆるファームウェアのことである。
【００８１】
本実施形態では、図４に示すように、制御装置１１０は、キャビネット７０に収容されている。詳しくは、制御装置１１０は、金属製の制御用ケース１１１に収容されている。図１３に示すように、制御装置１１０は、給水ポンプ２２、真空ポンプ２６、弁３５ａ、開放弁３５ｂ、弁３５ｃ、弁３５ｄ、水位センサ３７、および、リセットボタン１０１に接続され、給水ポンプ２２、真空ポンプ２６、弁３５ａ、開放弁３５ｂ、弁３５ｃ、弁３５ｄ、水位センサ３７、および、リセットボタン１０１を制御する。なお、制御装置１１０は、導線などの配線１１２を介して給水ポンプ２２、真空ポンプ２６、弁３５ａ、開放弁３５ｂ、弁３５ｃ、弁３５ｄ、水位センサ３７、および、リセットボタン１０１などと接続されている。ここでは、図４に示すように、配線１１２の一部は、キャビネット７０の底板７２ａにおける右側仕切部材７９ｂよりも右方の部位に収容されている。なお、底板７２ａにおける右側仕切部材７９ｂよりも右方の部位には、チューブなどの管路の一部が収容されていてもよい。
【００８２】
ここでは、上記プログラムに沿って、給水ポンプ２２、真空ポンプ２６、弁３５ａ、開放弁３５ｂ、弁３５ｃ、弁３５ｄ、水位センサ３７、および、リセットボタン１０１の制御が行われることで、ポータブルトイレ１０の便器１１に溜まった排水が排出される。本実施形態では、図１３に示すように、制御装置１１０は、記憶部１１４と、カウント部１１５と、警告部１１６と、リセット部１１７とを備えている。記憶部１１４には、例えば、ポータブルトイレ１０の便器１１から排水が排出された回数である排出回数が代入される排出回数変数が記憶されている。カウント部１１５は、排水が排出された回数である排水回数をカウントするように構成されている。ここでは、ポータブルトイレ１０の便器１１から排水が排出されたとき、カウント部１１５は、排出回数変数に１をプラスする。警告部１１６は、上記排水回数が所定の回数以上になったとき、例えばスピーカ（図示せず）などを利用して、排水容器４０に排水が溜まった旨の警告を発するように構成されている。また、警告部１１６は、水位センサ３７によって検出された排水容器４０内の排水の水位が所定の水位以上である場合、警告を発するように構成されている。例えば、リセットボタン１０１が押されたとき、リセットボタン１０１から制御装置１１０にリセット信号が送信される。そして、リセット信号を受信した後、リセット部１１７は、排水回数変数に０を代入し、排水回数をリセットするように構成されている。
【００８３】
以上、本実施形態では、図８に示すように、コネクタ９０を介して排水容器４０を第２排水管路３２に接続させる場合、例えば、排水容器４０の傾斜面５１の他方側の方向（ここでは、後方）へ向かって排水容器４０をスライド移動させながら、コネクタ９０に近づける。このとき、傾斜面５１の下方に下がっている部位からコネクタ９０に接触され、傾斜面５１がコネクタ９０側に徐々に押されながらコネクタ９０の下方に接続部５０が配置される。そして、コネクタ９０の下方に接続部５０が配置されたとき、第２排水管路３２と排水容器４０とが連通した状態となる。そして、コネクタ９０の下方に接続部５０が配置されたとき、傾斜面５１とコネクタ傾斜面９１とが略平行になり、傾斜面５１とコネクタ傾斜面９１とのシール性をより確保することができる。よって、コネクタ９０と接続部５０との間から排水が漏れ難くすることができる。
【００８４】
また、本実施形態では、排水容器４０をコネクタ９０から取り外す場合には、傾斜面５１の一方側の方向（ここでは、前方）へ向かって排水容器４０をスライド移動させる。このとき、傾斜面５１がコネクタ９０側への押す力が弱まりながら、コネクタ９０から接続部５０が取り外される。よって、排水容器４０をスライド移動させることで、第２排水管路３２と排水容器４０とを着脱させることができる。
【００８５】
本実施形態では、接続部５０には、排水孔５２の周縁から下方に向かって延び、上端から下端に向かうにしたがって排水孔５２の中心に向かって傾斜したテーパー面５５が設けられている。このことによって、排水孔５２を通過した排水は、テーパー面５５に沿って容器本体４１内に流れる。よって、排水容器４０内に流入した排水を飛散し難くすることができる。また、蓋体４２に排水を留まり難くすることができる。
【００８６】
本実施形態では、排水孔５２よりも蓋体４２の縁側における蓋体４２の部位（ここでは、排水孔５２よりも後方の蓋体４２の部位）には、容器本体４１内の臭気が排出される空気孔５３が形成されている。空気孔５３は、臭気などの空気が通過する孔であり、排水が通過しないことが好ましい。ここでは、排水孔５２よりも蓋体４２の縁側の部位に空気孔５３が形成されており、排水孔５２を通過してテーパー面５５を流れる排水は、平面視において、空気孔５３から離れるように流れる。よって、容器本体４１の底面に到達して飛散した排水が空気孔５３を通過し難くすることができる。
【００８７】
本実施形態では、蓋体４２を容器本体４１に取り付けたときにおいて、排水孔５２の下方に位置する容器本体４１の底面の部位には、蓋体４２に向かって突出した凸部４５が設けられている。このことによって、排水孔５２を通過した排水は、容器本体４１内において、凸部４５に到達する。ここで、蓋体４２を容器本体４１に取り付けた状態において、排水孔５２から凸部４５までの距離は、凸部が設けられていない容器本体における排水孔から容器本体の底面までの距離よりも短くすることができる。よって、排水孔５２を通過した排水が容器本体４１内で飛散し難くすることができる。
【００８８】
キャビネット７０をコンパクトにするためには、例えば排水容器４０をコンパクトにするとよい。そこで、排水容器４０をコンパクトにしたいという観点から、排水容器４０の高さは、低いことが好ましい。排水容器４０をコンパクトにするためには、水平面に対する傾斜面５１の角度Ｒ１は、小さい方が好ましい。また、排水容器４０の接続部５０とコネクタ９０とを接続したとき、コネクタ９０と傾斜面５１との間から排水を漏れなくするために、コネクタ９０と傾斜面５１とのシール性を確保することが好ましい。水平面に対する傾斜面５１の角度Ｒ１を大きくする程、コネクタ９０と傾斜面５１とは圧着されるため、シール性は確保される。そのため、水平面に対する傾斜面５１の角度Ｒ１は、大きい方が好ましい。そこで、本願出願人は、排水容器４０がある程度コンパクトであることと、コネクタ９０と傾斜面５１とのシール性を確保することの両方が得られる傾斜面５１の角度Ｒ１を検討した。その結果、水平面に対する傾斜面５１の角度を５度〜３０度にすることで、排水容器４０をある程度コンパクトすることができると共に、コネクタ９０と傾斜面５１とのシール性を確保することができることを見出した。本実施形態によれば、水平面に対する傾斜面５１の角度Ｒ１を５度〜３０度にすることで、キャビネット７０をコンパクトにすることができ、かつ、コネクタ９０と傾斜面５１との間から排水が好適に漏れ難くすることができる排水容器４０を提供することができる。
【００８９】
本実施形態では、図９に示すように、排水孔５２は、前後方向に長い長孔である。このことによって、仮に、接続部５０とコネクタ９０との間に、前後方向の多少のずれが生じ場合であっても、排水孔５２は長孔であるため、排水孔５２によって第２排水管路３２と排水容器４０とを連通させた状態にすることができる。よって、接続部５０とコネクタ９０との前後方向の多少のずれが生じ場合であっても、排水孔５２を通じて、第２排水管路３２から流れる排水を排水容器４０に流すことができる。
【００９０】
本実施形態では、図８に示すように、コネクタ９０のコネクタ傾斜面９１と、接続部５０の傾斜面５１との間には、パッキン９７が設けられている。このことによって、パッキン９７によってコネクタ傾斜面９１と傾斜面５１との間のシール性をより確保することができる。よって、コネクタ傾斜面９１と傾斜面５１との間から排水がより漏れ難くすることができる。
【００９１】
本実施形態では、パッキン９７は、コネクタ９０に支持されている。このことによって、コネクタ９０から接続部５０を取り外した際、パッキン９７はコネクタ９０に支持されている。コネクタ９０に接続部５０を接続する際、パッキン９７がコネクタ９０に支持された状態で、コネクタ９０に接続部５０が接続される。そのため、パッキン９７を気にすることなく、コネクタ９０に対する接続部５０の着脱を行うことができる。
【００９２】
本実施形態では、図５に示すように、キャビネット７０は、排水容器４０が載置される底板７２ａと、底板７２ａにおける排水容器４０が載置される部位よりも前方の部位に設けられ、上方に突出した係止突起９９と、を備えている。傾斜面５１とコネクタ傾斜面９１とは、共に傾斜しているため、コネクタ９０に接続部５０を接続したとき、排水容器４０がスライドしてコネクタ９０に対する接続部５０の位置がずれることで、コネクタ９０に対する排水容器４０の位置が徐々に前方にずれるおそれがある。特に、排水容器４０に排水が入っていない場合には、排水容器４０の位置が前方にずれ易い。しかしながら、本実施形態によれば、底板７２ａにおける排水容器４０が載置される部位よりも前方の部位に係止突起９９が設けられているため、係止突起９９によって、排水容器４０による前方への移動が規制される。よって、コネクタ９０に対する接続部５０の位置をずれ難くすることができる。
【００９３】
本実施形態では、図３に示すように、キャビネット７０は、排水容器４０が底板７２ａに配置されたときにおいて、排水容器４０の左右両側における底板７２ａの部位から上方に延びた仕切部材７９ａ、７９ｂを備えている。このことによって、底板７２ａに排水容器４０を配置する際、仕切部材７９ａ、７９ｂに沿って排水容器４０をスライド移動させる。このことで、排水容器４０を底板７２ａの適切な箇所に配置し易い。
【００９４】
なお、第２排水管路３２の他端、および、排水容器４０の接続部５０の何れかには、排水容器４０が第２排水管路３２に接続されたときには、開放し、排水容器４０が第２排水管路３２から取り外されたときには、閉鎖するシャッターなどの開閉機構が設けられていてもよい。
【符号の説明】
【００９５】
１０  ポータブルトイレ
２４  真空タンク
４０  排水容器（ポータブルトイレ用排水容器）
４０Ａ  排水容器セット（ポータブルトイレ用排水容器セット）
４１  容器本体
４２  蓋体
４５  凸部
５０  接続部
５１  傾斜面
５２  排水孔
５３  空気孔
５５  テーパー面
９０  コネクタ
９７  パッキン
９９  係止突起
１００  ポータブルトイレシステム
【図１】
2019027104.tif 000003
【図２】
2019027104.tif 000004
【図３】
2019027104.tif 000005
【図４】
2019027104.tif 000006
【図５】
2019027104.tif 000007
【図６】
2019027104.tif 000008
【図７】
2019027104.tif 000009
【図８】
2019027104.tif 000010
【図９】
2019027104.tif 000011
【図１０】
2019027104.tif 000012
【図１１】
2019027104.tif 000013
【図１２】
2019027104.tif 000014
【図１３】
2019027104.tif 000015